【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
記録媒体に記録された画像情報を再生する再生手段と、前記記録媒体に記録された複数の画像情報を指定された順番で自動再生するよう前記再生手段を制御する制御手段と、前記画像情報の状態を判別する判別手段と、前記判別手段の判別結果に応じて前記再生手段による各画像情報の再生時間長を設定する設定手段とを備えることを特徴とする画像再生装置。
【請求項２】
前記判別手段は、前記画像情報の撮影画角を判別する撮影画角判別手段を有し、前記設定手段は、前記判別された撮影画角に応じて前記再生手段による各画像情報の再生時間長を設定することを特徴とする請求項１に記載の画像再生装置。
【請求項３】
前記判別手段は、前記画像情報の画面像解像度を判別する解像度判別手段を有し、前記設定手段は、前記判別された画面解像度に応じて前記再生手段による各画像情報の再生時間長を設定することを特徴とする請求項１に記載の画像再生装置。
【請求項４】
前記判別手段は、前記画像情報の撮影日時を判別する撮影日時判別手段を有し、前記設定手段は、前記判別された撮影日時に応じて前記再生手段による各画像情報の再生時間長を設定することを特徴とする請求項１に記載の画像再生装置。
【請求項５】
前記判別手段は、前記画像情報の輝度分布状態を判別する輝度分布判別手段を有し、前記設定手段は、前記判別された輝度分布の状態に応じて前記再生手段による各画像情報の再生時間長を設定することを特徴とする請求項１に記載の画像再生装置。
【請求項６】
前記判別手段は、前記画像情報の情報量を判別する画像情報量判別手段を有し、前記設定手段は、前記判別された情報量に応じて前記再生手段による各画像情報の再生時間長を設定することを特徴とする請求項１に記載の画像再生装置。
【請求項７】
記録媒体に記録された画像情報を再生する再生手段と、前記記録媒体に記録されている複数の画像情報より前記再生手段により再生すべき任意の画像情報を選択する選択手段と、前記選択された画像情報の状態を判別する判別手段と、前記判別手段の判別結果に応じて前記選択された画像情報の再生手順を設定する設定手段とを備えることを特徴とする画像再生装置。
【請求項８】
前記画像情報は、連続した複数のフレームから成る動画像情報を含み、前記判別手段は、前記選択された動画像情報の記録時間長を判別する記録時間長判別手段を有し、前記設定手段は、前記記録時間長判別手段により判別された記録時間長に応じて前記選択された動画像情報の再生回数を設定することを特徴とする請求項７に記載の画像再生装置。
【請求項９】
前記画像情報は、連続した複数のフレームから成る動画像情報を含み、前記判別手段は、前記選択された動画像情報の画面解像度を判別する解像度判別手段を有し、前記設定手段は、前記解像度判別手段により判別された画面解像度に応じて前記選択された動画像情報の再生回数を設定することを特徴とする請求項７に記載の画像再生装置。
【請求項１０】
記録媒体に記録された画像情報を再生する再生ステップと、前記記録媒体に記録された複数の画像情報を指定された順番で自動再生するよう前記再生手段を制御する制御ステップと、前記画像情報の状態を判別する判別ステップと、前記判別ステップの判別結果に応じて前記再生ステップによる各画像情報の再生時間長を設定する設定ステップとを備えることを特徴とする画像再生方法。
【請求項１１】
前記判別ステップは、前記画像情報の撮影画角を判別する撮影画角判別ステップを有し、前記設定ステップは、前記判別された撮影画角に応じて前記再生ステップおける各画像情報の再生時間長を設定することを特徴とする請求項１０に記載の画像再生方法。
【請求項１２】
前記判別ステップは、前記画像情報の画面像解像度を判別する解像度判別ステップを有し、前記設定ステップは、前記判別された画面解像度に応じて前記再生ステップにおける各画像情報の再生時間長を設定することを特徴とする請求項１０に記載の画像再生方法。
【請求項１３】
前記判別ステップは、前記画像情報の撮影日時を判別する撮影日時判別ステップを有し、前記設定ステップは、前記判別された撮影日時に応じて前記再生ステップにおける各画像情報の再生時間長を設定することを特徴とする請求項１０に記載の画像再生方法。
【請求項１４】
前記判別ステップは、前記画像情報の情報量を判別する画像情報量判別ステップを有し、前記設定ステップは、前記判別された情報量に応じて前記前記再生ステップにおける各画像情報の再生時間長を設定することを特徴とする請求項１０に記載の画像再生方法。
【請求項１５】
記録媒体に記録された画像情報を再生する再生ステップと、前記記録媒体に記録されている複数の画像情報より前記再生ステップにより再生すべき任意の画像情報を選択する選択ステップと、前記選択された画像情報の状態を判別する判別ステップと、前記判別ステップの判別結果に応じて前記選択された画像情報の再生手順を設定する設定ステップとを備えることを特徴とする画像再生方法。
【請求項１６】
前記画像情報は、連続した複数のフレームから成る動画像情報を含み、前記判別ステップは、前記選択された動画像情報の記録時間長を判別する記録時間長判別ステップを有し、前記設定ステップは、前記記録時間長判別ステップで判別された記録時間長に応じて前記選択された動画像情報の再生回数を設定することを特徴とする請求項１５に記載の画像再生方法。
【請求項１７】
前記画像情報は、連続した複数のフレームから成る動画像情報を含み、前記判別ステップは、前記選択された動画像情報の画面解像度を判別する解像度判別ステップを有し、前記設定ステップは、前記解像度判別ステップで判別された画面解像度に応じて前記選択された動画像情報の再生回数を設定することを特徴とする請求項１５に記載の画像再生方法。
【請求項１８】
前記画像情報は、連続した複数のフレームから成る動画像情報を含み、前記判別ステップは、前記選択された画像情報の撮影日時を判別する撮影日時判別ステップを有し、前記設定ステップは、前記撮影日時判別ステップにより判別された撮影日時に応じて前記選択された動画像情報の再生回数を設定することを特徴とする請求項１５に記載の画像再生方法。
【請求項１９】
記録媒体に記録された画像情報を再生する再生モジュールと、前記記録媒体に記録された複数の画像情報を指定された順番で自動再生するよう前記再生手段を制御する制御モジュールと、前記画像情報の状態を判別する判別モジュールと、前記判別モジュールの判別結果に応じて前記再生モジュールによる各画像情報の再生時間長を設定する設定モジュールとをコンピュータに実行させることを特徴とする画像再生プログラム。
【請求項２０】
記録媒体に記録された画像情報を再生する再生モジュールと、前記記録媒体に記録されている複数の画像情報より前記再生モジュールにより再生すべき任意の画像情報を選択する選択モジュールと、前記選択された画像情報の状態を判別する判別モジュールと、前記判別モジュールの判別結果に応じて前記選択された画像情報の再生手順を設定する設定モジュールとをコンピュータに実行させることを特徴とする画像再生プログラム。
【手続補正２】
【補正対象書類名】明細書
【補正対象項目名】発明の名称
【補正方法】変更
【補正の内容】
【発明の名称】画像再生装置及び方法、並びにプログラム
【手続補正３】
【補正対象書類名】明細書
【補正対象項目名】０００１
【補正方法】変更
【補正の内容】
【０００１】
本発明は、画像再生装置及び方法、並びにプログラムに関する。
【手続補正４】
【補正対象書類名】明細書
【補正対象項目名】０００７
【補正方法】変更
【補正の内容】
【０００７】
本発明の目的は、画像再生時おいて、再生画像を見易くすることができる画像再生装置及び方法、並びにプログラムを提供することにある。
【手続補正５】
【補正対象書類名】明細書
【補正対象項目名】０００８
【補正方法】変更
【補正の内容】
【０００８】
上記目的を達成するために、請求項１記載の画像再生装置は、記録媒体に記録された画像情報を再生する再生手段と、前記記録媒体に記録された複数の画像情報を指定された順番で自動再生するよう前記再生手段を制御する制御手段と、前記画像情報の状態を判別する判別手段と、前記判別手段の判別結果に応じて前記再生手段による各画像情報の再生時間長を設定する設定手段とを備えることを特徴とする。
【手続補正６】
【補正対象書類名】明細書
【補正対象項目名】０００９
【補正方法】変更
【補正の内容】
【０００９】
請求項２記載の画像再生装置は、請求項１記載の画像再生装置において、前記判別手段は、前記画像情報の撮影画角を判別する撮影画角判別手段を有し、前記設定手段は、前記判別された撮影画角に応じて前記再生手段による各画像情報の再生時間長を設定することを特徴とする。
【手続補正７】
【補正対象書類名】明細書
【補正対象項目名】００１０
【補正方法】変更
【補正の内容】
【００１０】
請求項３記載の画像再生装置は、請求項１記載の画像再生装置において、前記判別手段は、前記画像情報の画面像解像度を判別する解像度判別手段を有し、前記設定手段は、前記判別された画面解像度に応じて前記再生手段による各画像情報の再生時間長を設定することを特徴とする。
【手続補正８】
【補正対象書類名】明細書
【補正対象項目名】００１１
【補正方法】変更
【補正の内容】
【００１１】
請求項４記載の画像再生装置は、請求項１記載の画像再生装置において、前記判別手段は、前記画像情報の撮影日時を判別する撮影日時判別手段を有し、前記設定手段は、前記判別された撮影日時に応じて前記再生手段による各画像情報の再生時間長を設定することを特徴とする。
【手続補正９】
【補正対象書類名】明細書
【補正対象項目名】００１２
【補正方法】変更
【補正の内容】
【００１２】
請求項５記載の画像再生装置は、請求項１記載の画像再生装置において、前記判別手段は、前記画像情報の輝度分布状態を判別する輝度分布判別手段を有し、前記設定手段は、前記判別された輝度分布の状態に応じて前記再生手段による各画像情報の再生時間長を設定することを特徴とする。
【手続補正１０】
【補正対象書類名】明細書
【補正対象項目名】００１３
【補正方法】変更
【補正の内容】
【００１３】
請求項６記載の画像再生装置は、請求項１記載の画像再生装置において、前記判別手段は、前記画像情報の情報量を判別する画像情報量判別手段を有し、前記設定手段は、前記判別された情報量に応じて前記前記再生手段による各画像情報の再生時間長を設定することを特徴とする。
【手続補正１１】
【補正対象書類名】明細書
【補正対象項目名】００１４
【補正方法】変更
【補正の内容】
【００１４】
上記目的を達成するために、請求項７記載の画像再生装置は、記録媒体に記録された画像情報を再生する再生手段と、前記記録媒体に記録されている複数の画像情報より前記再生手段により再生すべき任意の画像情報を選択する選択手段と、前記選択された画像情報の状態を判別する判別手段と、前記判別手段の判別結果に応じて前記選択された画像情報の再生手順を設定する設定手段とを備えることを特徴とする。
【手続補正１２】
【補正対象書類名】明細書
【補正対象項目名】００１５
【補正方法】変更
【補正の内容】
【００１５】
請求項８記載の画像再生装置は、請求項７記載の画像再生装置において、前記画像情報は、連続した複数のフレームから成る動画像情報を含み、前記判別手段は、前記選択された動画像情報の記録時間長を判別する記録時間長判別手段を有し、前記設定手段は、前記記録時間長判別手段により判別された記録時間長に応じて前記選択された動画像情報の再生回数を設定することを特徴とする。
【手続補正１３】
【補正対象書類名】明細書
【補正対象項目名】００１６
【補正方法】変更
【補正の内容】
【００１６】
請求項９記載の画像再生装置は、請求項７記載の画像再生装置において、前記画像情報は、連続した複数のフレームから成る動画像情報を含み、前記判別手段は、前記選択された動画像情報の画面解像度を判別する解像度判別手段を有し、前記設定手段は、前記解像度判別手段により判別された画面解像度に応じて前記選択された動画像情報の再生回数を設定することを特徴とする。
【手続補正１４】
【補正対象書類名】明細書
【補正対象項目名】００１７
【補正方法】変更
【補正の内容】
【００１７】
上記目的を達成するために、請求項１０記載の画像再生方法は、記録媒体に記録された画像情報を再生する再生ステップと、前記記録媒体に記録された複数の画像情報を指定された順番で自動再生するよう前記再生手段を制御する制御ステップと、前記画像情報の状態を判別する判別ステップと、前記判別ステップの判別結果に応じて前記再生ステップによる各画像情報の再生時間長を設定する設定ステップとを備えることを特徴とする。
【手続補正１５】
【補正対象書類名】明細書
【補正対象項目名】００１８
【補正方法】変更
【補正の内容】
【００１８】
請求項１１記載の画像再生方法は、請求項１０記載の画像再生方法において、前記判別ステップは、前記画像情報の撮影画角を判別する撮影画角判別ステップを有し、前記設定ステップは、前記判別された撮影画角に応じて前記再生ステップおける各画像情報の再生時間長を設定することを特徴とする。
【手続補正１６】
【補正対象書類名】明細書
【補正対象項目名】００１９
【補正方法】変更
【補正の内容】
【００１９】
請求項１２記載の画像再生方法は、請求項１０記載の画像再生方法において、前記判別ステップは、前記画像情報の画面像解像度を判別する解像度判別ステップを有し、前記設定ステップは、前記判別された画面解像度に応じて前記再生ステップにおける各画像情報の再生時間長を設定することを特徴とする。
【手続補正１７】
【補正対象書類名】明細書
【補正対象項目名】００２０
【補正方法】変更
【補正の内容】
【００２０】
請求項１３記載の画像再生方法は、請求項１０記載の画像再生方法において、前記判別ステップは、前記画像情報の撮影日時を判別する撮影日時判別ステップを有し、前記設定ステップは、前記判別された撮影日時に応じて前記再生ステップにおける各画像情報の再生時間長を設定することを特徴とする。
【手続補正１８】
【補正対象書類名】明細書
【補正対象項目名】００２１
【補正方法】変更
【補正の内容】
【００２１】
請求項１４記載の画像再生方法は、請求項１０記載の画像再生方法において、前記判別ステップは、前記画像情報の情報量を判別する画像情報量判別ステップを有し、前記設定ステップは、前記判別された情報量に応じて前記前記再生ステップにおける各画像情報の再生時間長を設定することを特徴とする。
【手続補正１９】
【補正対象書類名】明細書
【補正対象項目名】００２２
【補正方法】変更
【補正の内容】
【００２２】
上記目的を達成するために、請求項１５記載の画像再生方法は、記録媒体に記録された画像情報を再生する再生ステップと、前記記録媒体に記録されている複数の画像情報より前記再生ステップにより再生すべき任意の画像情報を選択する選択ステップと、前記選択された画像情報の状態を判別する判別ステップと、前記判別ステップの判別結果に応じて前記選択された画像情報の再生手順を設定する設定ステップとを備えることを特徴とする。
【手続補正２０】
【補正対象書類名】明細書
【補正対象項目名】００２３
【補正方法】変更
【補正の内容】
【００２３】
請求項１６記載の画像再生方法は、請求項１５記載の画像再生方法において、前記画像情報は、連続した複数のフレームから成る動画像情報を含み、前記判別ステップは、前記選択された動画像情報の記録時間長を判別する記録時間長判別ステップを有し、前記設定ステップは、前記記録時間長判別ステップで判別された記録時間長に応じて前記選択された動画像情報の再生回数を設定することを特徴とする。
【手続補正２１】
【補正対象書類名】明細書
【補正対象項目名】００２４
【補正方法】変更
【補正の内容】
【００２４】
請求項１７記載の画像再生方法は、請求項１５記載の画像再生方法において、前記画像情報は、連続した複数のフレームから成る動画像情報を含み、前記判別ステップは、前記選択された動画像情報の画面解像度を判別する解像度判別ステップを有し、前記設定ステップは、前記解像度判別ステップで判別された画面解像度に応じて前記選択された動画像情報の再生回数を設定することを特徴とする。
【手続補正２２】
【補正対象書類名】明細書
【補正対象項目名】００２５
【補正方法】変更
【補正の内容】
【００２５】
請求項１８記載の画像再生方法は、請求項１５記載の画像再生方法において、前記画像情報は、連続した複数のフレームから成る動画像情報を含み、前記判別ステップは、前記選択された画像情報の撮影日時を判別する撮影日時判別ステップを有し、前記設定ステップは、前記撮影日時判別ステップにより判別された撮影日時に応じて前記選択された動画像情報の再生回数を設定することを特徴とする。
【手続補正２３】
【補正対象書類名】明細書
【補正対象項目名】００２６
【補正方法】変更
【補正の内容】
【００２６】
上記目的を達成するために、請求項１９記載の画像再生プログラムは、記録媒体に記録された画像情報を再生する再生モジュールと、前記記録媒体に記録された複数の画像情報を指定された順番で自動再生するよう前記再生手段を制御する制御モジュールと、前記画像情報の状態を判別する判別モジュールと、前記判別モジュールの判別結果に応じて前記再生モジュールによる各画像情報の再生時間長を設定する設定モジュールとをコンピュータに実行させることを特徴とする。
【手続補正２４】
【補正対象書類名】明細書
【補正対象項目名】００２７
【補正方法】変更
【補正の内容】
【００２７】
上記目的を達成するために、請求項２０記載の画像再生プログラムは、記録媒体に記録された画像情報を再生する再生モジュールと、前記記録媒体に記録されている複数の画像情報より前記再生モジュールにより再生すべき任意の画像情報を選択する選択モジュールと、前記選択された画像情報の状態を判別する判別モジュールと、前記判別モジュールの判別結果に応じて前記選択された画像情報の再生手順を設定する設定モジュールとをコンピュータに実行させることを特徴とする。